(57)【要約】      （修正有）【課題】使用者の手が水等により濡れた状態で繰り返し使用した場合であっても、破損することなく使用に耐えられるラップケースを提供する。【解決手段】ラッピング布１１のロール２４を収納する合成樹脂製のラップケース１０であって、上方開口部１２を有する収納部本体１３と、上記開口部を開閉可能に被覆する蓋部１４とにより構成され、上記蓋部は、上記収納部本体外部に設けられたヒンジ部１５を介して回動可能に取り付けられている。【選択図】図１
0003166905.tif 000002
【実用新案登録請求の範囲】
【請求項１】
ラッピング布のロールを収納する合成樹脂製のラップケースであって、上方開口部を有する収納部本体と、上記開口部を開閉可能に被覆する蓋部とにより構成され、上記蓋部は、上記収納部本体外部に設けられたヒンジ部を介して回動可能に取り付けられていることを特徴とするラップケース。
【請求項２】
上記収納部は全体略直方体に形成されると共に、上記蓋部は幅方向断面略Ｌ字状に形成され、上記ヒンジ部に回動可能に固定され、上記ヒンジ部は、上記収納部本体の長さ方向両端部に固定された一対のヒンジ受け部材と、上記一対のヒンジ受け部材の端部に接合されたヒンジ部材とにより構成されていることを特徴とする請求項１記載のラップケース。
【請求項３】
上記一対のヒンジ受け部材は、上記収納部本体の長さ方向の両端外側部に固定されていることを特徴とする請求項２記載のラップケース。
【請求項４】
上記蓋部の先端部には刃部が設けられ、上記刃部は、蓋部の長さ方向に沿って配設された刃部本体と、上記刃部本体を保持する金属製保持部とにより構成されていることを特徴とする請求項３記載のラップケース。
【請求項５】
上記金属製保持部は、一対の刃部挟持片を有し、上記刃部挟持片は一枚の板材を折曲して形成されていることを特徴とする請求項４記載のラップケース。
【考案の詳細な説明】
【技術分野】
【０００１】
本考案はラップケースの改良に関する。
【背景技術】
【０００２】
現在、一般に広く販売されているラップケースは所定の剛性を有する紙製であり、軽量であって手軽に多用途に使用されている。
しかしながら、このようなラップケースは、一般家庭においては、調理台周辺で使用されることから、使用者が濡れた状態の手で使用することが多い。
一方、美容院、美容室では、客の髪にパーマを施す際に、パーマ液を頭髪に付けた後に、頭部をラップ用紙で包み、この状態でパーマ液が頭髪に浸透するのを待つようにしている。
【０００３】
この場合、美容師は、一方の手でラップケースを保持して他方の手でラップ用紙を刃部により切断しながら顧客の頭部をラッピングするが、美容師の手はパーマ液や水で濡れていることが多いことから、紙製のラップケースを手で持って上記作業を繰り返し行った場合には、ラップケースが水で破れてしまうことが多かった。
【０００４】
また、ラップケースの刃部は、紙製のラップケース本体に固定されているものであり、水分によりラップケース本体が破損した場合には、刃部もラップケース本体から脱落してしまい、使用できなくなる場合が多い、という不具合があった。
【考案の開示】
【考案が解決しようとする課題】
【０００５】
本考案はこのような従来からの要請に応えるものであって、その課題は、使用者の手が水等により濡れた状態で繰り返し使用した場合であっても、破損することなく使用に耐えられるラップケースを提供することにある。
【課題を解決するための手段】
【０００６】
請求項１記載の考案にあっては、ラッピング布のロールを収納する合成樹脂製のラップケースであって、上方開口部を有する収納部本体と、上記開口部を開閉可能に被覆する蓋部とにより構成され、上記蓋部は、上記収納部本体外部に設けられたヒンジ部を介して回動可能に取り付けられていることを特徴とする。
【０００７】
従って、請求項１記載の考案にあっては、上記蓋部は収納部本体外部に設けられたヒンジ部を介して回動する。
【０００８】
請求項２記載の考案にあっては、全体略直方体に形成されると共に、上記蓋部は幅方向断面略Ｌ字状に形成され、上記ヒンジ部に回動可能に固定され、上記ヒンジ部は、上記収納部本体の長さ方向両端部に固定された一対のヒンジ受け部材と、上記一対のヒンジ受け部材の端部に接合されたヒンジ部材とにより構成されていることを特徴とする。
【０００９】
請求項３記載の考案にあっては、上記一対のヒンジ受け部材は、上記収納部本体の長さ方向の両端外側部に固定されていることを特徴とする。
従って、請求項３記載の考案にあっては、上記ヒンジ部は上記一対のヒンジ受け部材により支持されている。
【００１０】
請求項４記載の考案にあっては、上記蓋部の先端部には刃部が設けられ、上記刃部は、蓋部の長さ方向に沿って配設された刃部本体と、上記刃部本体を保持する保持部とにより構成されていることを特徴とする。
従って、請求項４記載の考案にあっては、収納部内に収納されたロール状のラッピング布は、上記刃部本体により切断される。
【００１１】
請求項５記載の考案にあっては、上記保持部は、一対の刃部挟持片を有し、上記刃部挟持片は一枚の板材を折曲して形成されていることを特徴とする。
【考案の効果】
【００１２】
請求項１記載の考案にあっては、現在一般に広く販売されている、紙製のラップケースとは異なり、収納部本体及び蓋部はいずれも合成樹脂製であることから、使用者が水にぬれた手で使用した場合であっても、紙製のラップケースのように水を吸収することにより破損する、という事態を防止できる。
従って、一般家庭において、台所等の水回りにおいても不安なく長期間に亘って使用することができると共に、特に、美容院や美容室において、客の髪にパーマを施し、客の頭部をラッピングした状態でパーマ液の頭髪への浸透を待つが、美容師がパーマ液や水で濡れた手でラップケースに触れた場合であっても、紙製のラップケースとは異なり、ラップケースが破損したり、ラップケースが破損することによって、刃部も収納部本体から脱落してしまい、使用できなくなる、という事態を防止することができる。
【００１３】
請求項２及び３記載の考案にあっては、全体略直方体に形成されると共に、上記蓋部は幅方向断面略Ｌ字状に形成され、上記ヒンジ部に回動可能に固定され、上記ヒンジ部は、上記収納部本体の長さ方向両端部に固定された一対のヒンジ受け部材と、上記一対のヒンジ受け部材の端部に接合されたヒンジ部材とにより構成されていることから、現在、広く販売されている紙製のラップケースとは異なり、蓋部が回動可能に固定されるヒンジ部が収納部本体とは別個に設けられていることから、蓋部は確実に収納部に固定されており、長期間の頻繁な使用に耐えうる。
【００１４】
請求項４記載の考案にあっては、上記蓋部の先端部には刃部が設けられ、上記刃部は、蓋部の長さ方向に沿って配設された刃部本体と、上記刃部本体を保持する金属製保持部とにより構成されていることから、現在、広く販売されている紙製のラップケースとは異なり、刃部が金属製保持部により保持されていることから、刃部は確実に保持され、長期間の頻繁な使用にも耐えることができる。
【００１５】
請求項５記載の考案にあっては、上記保持部は、一対の刃部挟持片を有し、上記刃部挟持片は一枚の板材を折曲して形成されていることから、刃部をコストを嵩ませることなく、確実に収納部本体に保持させることができる。
【図面の簡単な説明】
【００１６】
【図１】本考案に係るラップケースの一実施の形態を示す斜視図である。
【図２】本考案に係るラップケースの一実施の形態を示す側面図であって、刃部の取付構造を一部拡大した示す図である。
【考案を実施するための最良の形態】
【００１７】
図１及び図２に示すように、本実施の形態に係るラップケース１０は合成樹脂製で、上方開口部１２を有する収納部本体１３と、上記上方開口部１２を開閉可能に被覆する蓋部１４とにより構成されている。
【００１８】
上記蓋部１４は、上記収納部本体１３に設けられたヒンジ部１５を介して回動可能に取り付けられており、ラッピング布のロール２４は開口部１２を介して収納部本体１３内に軸方向に回転可能に収納されている。
【００１９】
本実施の形態に係るラップケース１０は全体略直方体に形成されると共に、上記蓋部１４は幅方向断面略Ｌ字状に形成され、上記ヒンジ部１５に回動可能に固定されている。
【００２０】
上記蓋部１４は、蓋部本体１４ａと、蓋部本体１４ａから略直角に延設された刃保持部１４ｂとを有しており、上記刃保持部１４ｂは蓋部本体１４ａよりも短く形成され、刃保持部１４ｂの裏面側には刃部１８が配設されている。
【００２１】
上記ヒンジ部１５は、上記収納部本体１３の長さ方向両端部に固定された一対のヒンジ受け部材１６、１６と、上記一対のヒンジ受け部材１６、１６の端部に接合固定されたヒンジ部材１７とにより構成されている。
【００２２】
上記一対のヒンジ受け部材１６、１６は、棒状に形成され、上記収納部本体１３の長さ方向の両端外側部２３、２３に斜めに固定され、上端部は両端外側部２３、２３の上方へ突出して配置され、ヒンジ部材１７は、上記一対のヒンジ受け部材１６、１６の上端部間に掛け渡されて、収納部本体１３の上方に配置されている。
【００２３】
図２に示すように、上記蓋部１４の先端部には刃部１８が設けられ、上記刃部１８は、蓋部１４の長さ方向に沿って配設された刃部本体１９と、上記刃部本体１９を保持する金属製保持部２０とにより構成されている。
【００２４】
上記金属製保持部２０は、一対の刃部挟持片２１、２１を有し、上記刃部挟持片２１、２１は一枚の板材を折曲して形成されている。即ち、金属製保持部材２０は、固定片部２２と、上記固定片部２２の端部において折曲形成された刃部挟持片２１、２１とを有している。
【００２５】
上記固定片部２２は、上記刃保持部１４ｂの裏面に固定され、先端部において断面Ｕ字状に形成された上記刃部挟持片２１、２１が形成され、この刃部挟持片２１、２１に挟持されて刃部本体１９が、上記刃保持部１４ｂから突出した状態で固定されている。
【００２６】
本実施の形態に係るラップケース１０を使用する場合、蓋部１４を閉じた状態でラッピング布１１を引きだし、用途の応じた長さで蓋部１４から突出している刃部本体１９により切断して使用する。
この場合、ラップケース１０は合成樹脂製であることから、現在一般に広く販売されている、紙製のラップケースとは異なり、収納部本体１３及び蓋部１４はいずれも合成樹脂製であることから、使用者が水にぬれた手で使用した場合であっても、紙製のラップケースのように水を吸収することにより破損する、という事態を防止できる。
【００２７】
従って、一般家庭において、台所等の水回りにおいても不安なく長期間に亘って使用することができると共に、特に、美容院や美容室において、客の髪にパーマを施し、客の頭部をラッピングした状態でパーマ液の頭髪への浸透を待つが、美容師がパーマ液や水で濡れた手でラップケースに触れた場合であっても、紙製のラップケースとは異なり、ラップケースが破損したり、ラップケース本体が破損することによって、刃部１８も収納部本体１３から脱落してしまい、使用できなくなる、という事態を防止することができる。
【００２８】
また、現在、広く販売されている紙製のラップケースとは異なり、蓋部１４が回動可能に固定されるヒンジ部１５が収納部本体１３とは別個に設けられていることから、蓋部１４は確実に収納部本体１３に固定されており、長期間の頻繁な使用に耐えうる。
【００２９】
また、上記刃部１８は、蓋部１４の長さ方向に沿って配設された刃部本体１９を保持する金属製保持部２０を有していることから、現在、広く販売されている紙製のラップケースとは異なり、刃部１８は確実に保持され、長期間の頻繁な使用にも耐えることができる。
【００３０】
さらに、上記金属製保持部２０は、一対の刃部挟持片２１、２１を有し、上記刃部挟持片２１、２１は一枚の板材を折曲して形成されていることから、刃部１８をコストを嵩ませることなく、確実に収納部本体１３に保持させることができる。
【符号の説明】
【００３１】
１０  ラップケース
１１  ラッピング布
１２  開口部
１３  収納部本体
１４  蓋部
１４ａ  蓋部本体
１４ｂ  刃保持部
１５  ヒンジ部
１６  ヒンジ受け部材
１７  ヒンジ部材
１８  刃部
１９  刃部本体
２０  金属製保持部
２１  刃部挟持片
２２  固定片部
２３  両端外側部
２４  ロール
【図１】
0003166905.tif 000003
【図２】
0003166905.tif 000004
【手続補正書】
【提出日】平成23年1月24日(2011.1.24)
【手続補正１】
【補正対象書類名】実用新案登録請求の範囲
【補正対象項目名】請求項１
【補正方法】変更
【補正の内容】
【請求項１】
ラッピング布のロールを収納する合成樹脂製のラップケースであって、開口部を有する収納部本体と、上記開口部を開閉可能に被覆する蓋部とにより構成され、上記蓋部は、上記収納部本体外部に設けられたヒンジ部を介して回動可能に取り付けられていることを特徴とするラップケース。